(57)【特許請求の範囲】
【請求項１】
モータフレーム又はその組立体側に装着された固定軸受部材に対して回転軸部材が回転自在に挿入されているとともに、それら固定軸受部材と回転軸部材との隙間部分に注入された潤滑流体に発生する動圧により上記回転軸部材を支持する動圧軸受装置を備えた動圧軸受モータにおいて、
上記モータフレーム又はその組立体側には、前記軸受部材を装着して固定する略円筒状の軸受保持部材が設けられているとともに、
上記軸受保持部材には、前記固定軸受部材又はその組立体の一部に対して軸方向に当接して、上記固定軸受部材を軸方向の規定位置に位置決めする軸受当接部が設けられ、
その軸受当接部は、前記軸受保持部材の軸方向一端縁側から中心側に向かって延出するように設けられた支持円盤部の内周端部分を軸受内方側に向かって軸方向に突出させた凸状部分から形成され、
その軸受当接部の凸状先端面が、前記軸受保持部材側に当接されていることによって、前記固定軸受部材の全体が軸方向の規定位置に位置決めされていることを特徴とする動圧軸受モータ。
【請求項２】
前記固定軸受部材が、前記軸受保持部材に対して接着により固定されていることを特徴とする請求項１記載の動圧軸受モータ。
【請求項３】
前記固定軸受部材は、前記軸受保持部材の内周側に装着・固定されているとともに、上記軸受保持部材の外周側に、ステータコアが嵌着されていることを特徴とする請求項１記載の動圧軸受モータ。
【請求項４】
前記軸受保持部材には、前記ステータコアの一部に対して軸方向に当接することにより当該ステータコアを軸方向に位置決めするコア当接部が設けられていることを特徴とする請求項３記載の動圧軸受モータ。
【請求項５】
前記モータフレームには、動圧軸受モータを装置本体側に取り付けるときの位置基準となるステータ基準面が設けられていることを特徴とする請求項１記載の動圧軸受モータ。
【請求項６】
前記軸受当接部は、前記軸受保持部材の軸方向一端側において、当該軸受保持部材の中心部分に通気孔を画成するように設けられていることを特徴とする請求項１記載の動圧軸受モータ。
【請求項７】
前記回転軸部材には、記録媒体ディスクを搭載するハブが取り付けられていることを特徴とする１記載の動圧軸受モータ。
【発明の詳細な説明】
【０００１】
【発明の属する技術分野】
本発明は、所定の潤滑流体の動圧力によって、固定軸受部材に対して回転軸部材を回転可能に支持する動圧軸受装置を備えた動圧軸受モータに関する。
【０００２】
【従来の技術】
近年、磁気ディスク、ポリゴンミラー、光ディスク等の各種回転体を高速回転させるモータにおいて、回転軸を動圧軸受装置により支持するようにした動圧軸受モータに関しての提案が種々行われている。そのような動圧軸受装置を備えた動圧軸受モータにおいては、例えば図４に示されているように、記録媒体ディスクを搭載する回転ハブ１が取り付けられた回転軸部材２が、固定軸受部材としての軸受スリーブ３内に回転可能に挿入されているとともに、上記回転軸部材２の外周側に設けられた動圧面と、上記軸受スリーブ３の内周側に設けられた動圧面とが半径方向に近接して対向配置されて形成された所定の狭小隙間内に、空気やオイル等の潤滑流体が注入されることによって、ラジアル動圧軸受部ＲＢが形成されている。また、上記回転軸部材２に嵌着・固定されたスラストプレート４側に設けられた動圧面と、上記軸受スリーブ３及びカウンタープレート５側の動圧面とが、所定の狭小隙間を介して軸方向に近接して対向するように配置されており、その狭小隙間内に空気やオイル等の潤滑流体が注入されることによってスラスト動圧軸受部ＳＢが構成されている。
【０００３】
そして、上記ラジアル動圧軸受部ＲＢ及びスラスト動圧軸受部ＳＢにおける両対向動圧面のうちの少なくとも一方側に設けられた動圧発生用溝等の流体加圧手段（図示省略）のポンピング作用によって潤滑流体が加圧され、それにより生じさせられた動圧によって前記回転軸部材２が、ラジアル方向及びスラスト方向にそれぞれ浮上した状態で回転支持されるようになっている。
【０００４】
このような構成の動圧軸受モータを組み立てるにあたっては、まず、回転軸部材２に対して回転ハブ１を固定しておき、必要な加工を施した軸受スリーブ３の内部側に上記回転軸部材２を挿入し、その後に、回転軸部材２の先端部分にスラストプレート４を嵌着する。ついで、上記スラストプレート４を軸受スリーブ３との間に挟み込むようにして、カウンタープレート５を上記軸受スリーブ３の開口部分に装着し、そのカウンタープレート５と軸受スリーブ３との間の半径方向隙間を、接着剤６等により封止して軸受組を構成しておく。そして、潤滑流体としてオイルを用いる場合には、上記軸受組のラジアル動圧軸受部ＲＢ及びスラスト動圧軸受部ＳＢ内を脱気し、そのときの真空吸引力を利用して上記各軸受内部側にオイルを充填する。軸受組に付着した余分なオイルを除去した後、上述した回転ハブ１の内周面側に、バックヨークを介してリング状のマグネット７を接着により固定して、ロータ組を得る。
【０００５】
一方、絶縁紙を介して基板を貼り付けたモータフレーム１１側においては、コイル１２を巻回したステータコア１３をコアホルダー部１４に対して嵌着・固定し、配線・封止を行ってステータ組を得る。そして、このステータ組のコアホルダー部１４の内周側に、上述したロータ組の軸受スリーブ３を挿入するようにして接着により固定し、モータの組立を完了する。このとき、上述したステータ組とロータ組との組付けを行う際には、ステータ組とロータ組との位置関係を適宜の治具により設定するようにしており、その治具によって両部材どうしを一定の位置関係に保持しながら固定作業を行うようにしている。
【０００６】
【発明が解決しようとする課題】
しかしながら、このような治具を用いてステータ組とロータ組との位置関係を出す作業には、その治具に対してセットするなどの面倒な作業を伴い、特に、上述したような各種記録媒体ディスクを搭載するモータの場合においては、ステータ組側の基準面に対してロータ組側のディスク搭載面の高さ及び平行度を高精度に調整する必要があり、しかも、接着剤が固化するまでの待ち時間を要する。従って、上述したような治具を用いた調整・固定作業には多大の時間を要することとなって生産性低下の原因となっているとともに、高精度な治具を多数用意しておかねばならないことから、製造設備に対するコストが嵩んでしまうという問題もある。
【０００７】
そこで本発明は、ステータ組とロータ組とを、容易かつ効率的に、しかも高精度に組み付けることができるようにした動圧軸受モータを提供することを目的とする。
【０００８】
【課題を解決するための手段】
上記目的を達成するために、請求項１記載の動圧軸受モータでは、モータフレーム又はその組立体側に装着された固定軸受部材に対して回転軸部材が回転自在に挿入されているとともに、それら固定軸受部材と回転軸部材との隙間部分に注入された潤滑流体に発生する動圧により上記回転軸部材を支持する動圧軸受装置を備えた動圧軸受モータにおいて、上記モータフレーム又はその組立体側には、前記軸受部材を装着して固定する略円筒状の軸受保持部材が設けられているとともに、上記軸受保持部材には、前記固定軸受部材又はその組立体の一部に対して軸方向に当接して、上記固定軸受部材を軸方向の規定位置に位置決めする軸受当接部が設けられ、その軸受当接部は、前記軸受保持部材の軸方向一端縁側から中心側に向かって延出するように設けられた支持円盤部の内周端部分を軸受内方側に向かって軸方向に突出させた凸状部分から形成され、その軸受当接部の凸状先端面が前記軸受保持部材側に当接されていることによって前記固定軸受部材の全体が軸方向の規定位置に位置決めされている。
【０００９】
また、請求項２記載の動圧軸受モータでは、前記請求項１記載の固定軸受部材が、前記軸受保持部材に対して接着により固定されている。
【００１０】
さらに、請求項３記載の動圧軸受モータでは、前記請求項１記載の固定軸受部材は、前記軸受保持部材の内周側に保持されているとともに、上記軸受保持部材の外周側に、ステータコアが嵌着されている。
【００１１】
さらにまた、請求項４記載の動圧軸受モータでは、前記請求項３記載の軸受保持部材には、前記ステータコアの一部に対して軸方向に当接することにより当該ステータコアを軸方向に位置決めするコア当接部が設けられている。
【００１２】
一方、請求項５記載の動圧軸受モータ装置では、前記請求項１記載のモータフレームには、動圧軸受モータを装置本体側に取り付けるときの位置基準となるステータ基準面が設けられている。
【００１３】
また、請求項６記載の動圧軸受モータでは、前記請求項１記載の軸受当接部は、前記軸受保持部材の軸方向一端側において、当該軸受保持部材の中心部分に通気孔を画成するように設けられている。
【００１５】
さらにまた、請求項７記載の動圧軸受モータでは、前記請求項１記載の回転軸部材には、記録媒体ディスクを搭載するハブが取り付けられている。
【００１９】
このような構成を有する請求項１，２記載の発明にかかる動圧軸受モータによれば、モータフレーム側の軸受保持部材に対して固定軸受部材を装着した際に、固定軸受部材又はその組立体の一部が、モータフレーム側に設けられた軸受当接部に当接されることによって、上記固定軸受部材が軸方向に位置決めされることとなり、従来用いていたような治具は不要となって、ロータ組とステータ組との位置決め作業が、安価な設備でしかも効率的に行われるようになっている。
【００２０】
また、本発明では、請求項３，４にかかる動圧軸受モータのような軸受保持部材に対するステータコア等の各部品の取付工程が、潤滑流体の注入工程とは別個・独立して行われることから、潤滑流体の注入工程による汚染等をほとんど考慮することなく各部品の組立作業が効率的に行われるようになっている。
【００２１】
さらに、請求項５記載の発明にかかる動圧軸受モータにおいては、軸受部材又はその組立体が、ステータ基準面に対して軸方向に位置決めされるようになっている。
【００２２】
さらにまた、請求項６記載の発明にかかる動圧軸受モータにおいては、モータフレーム側の軸受保持部材に対して固定軸受部材を装着した際に、それらの間の空間において加圧される空気が、通気孔を通して外部に排出されることとなり、その結果、上述した両部材どうしの装着作業が、空気抵抗を受けることなく容易に行われるとともに、上述した加圧空気による潤滑流体の外部漏れ及び接着剤の飛散が良好に回避されるようになっている。
【００２３】
このような各作用は、請求項７記載の発明にかかる動圧軸受モータのように、高精度な位置調整を要する記録媒体ディスクを搭載する装置において特に有効である。
【００２４】
【発明の実施の形態】
以下、本発明をハードディスク駆動装置（ＨＤＤ）に適用した実施形態について説明するが、まず、上記ハードディスク駆動装置（ＨＤＤ）の全体構造を図面に基づいて説明する。
【００２５】
図１に示されている軸回転のＨＤＤ用スピンドルモータの全体は、固定部材としてのステータ組２０と、そのステータ組２０に対して図示上側から組み付けられた回転部材としてのロータ組３０とから構成されている。このうちステータ組２０は、図示を省略した固定基台側にネジ止めされる固定フレーム２１を有している。この固定フレーム２１は、軽量化を図るためにアルミ系金属材料から形成されているが、当該固定フレーム２１を構成している円盤状部分２１ａの略中央部分には、軸受保持部材を構成している環状の円筒状胴部を備えた軸受ホルダー２１ｂが立設するようにして一体的に形成されている。上記円盤状部分２１ａの図示下面側には、ステータ基準面２１ｃが形成されていて、そのステータ基準面２１ｃが、図示を省略した装置本体側に対してモータ全体の取付け基準面として当接されることにより、モータの取付が高精度に行われるようになっている。
【００２６】
さらに、上記軸受ホルダー２１ｂの内周壁面側には、中空円筒状に形成された固定軸受部材としての軸受スリーブ２２が挿入されており、図示を省略した接着剤により固定されている。なお、上記軸受スリーブ２２は、上記軸受ホルダー２１ｂに対して圧入又は焼バメによって接合させることもできる。このような軸受スリーブ２２は、小径の軸受孔の加工等を容易化するために、リン青銅などの銅系合金材料から形成されている。
【００２７】
また、前記軸受ホルダー２１ｂの外周側壁面に設けられた取付面には、電磁鋼板の積層体からなるステータコア２３が嵌着されている。このステータコア２３は、上記軸受ホルダー２１ｂの外周側壁面の一部を窪ませるように形成されたコア当接部２１ｄに対して、軸方向に当接されることによって軸方向に位置決めされている。上記ステータコア２３に設けられた各突極部には、駆動コイル２４がそれぞれ巻回されている。
【００２８】
さらにまた、上記軸受スリーブ２２の中心軸に沿って貫通形成された軸受孔内には、上述したロータ組３０を構成する回転軸３１が回転自在に挿入されている。本実施形態における回転軸３１は、ステンレス鋼から形成されている。
【００２９】
そして、上記軸受スリーブ２２における軸受孔の内周面に形成された動圧面が、上記回転軸３１の外周面に形成された動圧面に対して半径方向に対面するように配置されており、それらの間の微小な軸受隙間空間に、２箇所のラジアル動圧軸受部ＲＢ，ＲＢが軸方向に離して形成されている。より詳細には、上記各ラジアル動圧軸受部ＲＢにおける軸受スリーブ２２側の動圧面と、回転軸３１側の動圧面とは、数μｍの微少隙間を介して周状に対向配置されており、その微少隙間からなる軸受隙間空間内に、潤滑オイルや磁性流体等からなる所定の潤滑流体が注入されている。このとき、上記２箇所のラジアル動圧軸受部ＲＢ，ＲＢどうしの間には流体溜部Ｓが設けられていて、それら２箇所のラジアル動圧軸受部ＲＢ，ＲＢ及び流体溜部Ｓを含む軸受隙間空間内に、上記潤滑流体が軸方向に連続して充填されている。
【００３０】
さらに、上記軸受スリーブ２２側の動圧面には、図示を省略したへリングボーン形状などの形状を有するラジアル動圧発生用溝が、軸方向に２ブロックに分けて環状に凹設されており、回転時には、それら両ラジアル動圧発生用溝のポンピング作用によって上記潤滑流体が加圧されて動圧を生じ、その潤滑流体の動圧により前記回転軸３１とともに後述する回転ハブ３２が、ラジアル方向に浮上されながら軸支持される構成になされている。
【００３１】
一方、前記回転軸３１における図示下方側の先端部分には、円盤状のスラストプレート３３が固着されている。このスラストプレート３３は、上述した軸受スリーブ２２における図示下端側の中心部分に凹設された円筒状の窪み部内に収容されるようにして配置されていて、その軸受スリーブ２２の窪み部内において、当該スラストプレート３３の図示上面側に設けられた動圧面が、上記軸受スリーブ２２側の動圧面に対して、軸方向に近接するように対向配置されている。そして、それらのスラストプレート３３及び軸受スリーブ２２の両動圧面どうしの軸受隙間空間に、スラスト動圧軸受部ＳＢが形成されている。
【００３２】
さらに、上記スラストプレート３３の図示下側の動圧面に近接するようにして、比較的大径の円盤状部材からなるカウンタープレート２５が配置されている。このカウンタープレート２５は、上記軸受スリーブ２２の下端側開口部分を閉塞するように装着されて接着剤２６により固着されたものであって、当該カウンタープレート２５の図示上面側に設けられた動圧面と、上述したスラストプレート３３の図示下側の動圧面との間の近接対向隙間部分に、下側のスラスト動圧軸受部ＳＢが形成されている。
【００３３】
上述したように軸方向に隣接して配置された一組のスラスト動圧軸受部ＳＢを構成しているスラストプレート３３側の両動圧面と、それに対向する軸受スリーブ２２及びカウンタープレート２５側の両動圧面とは、それぞれ数μｍの微少隙間を介して軸方向に対向配置されているとともに、その微少隙間からなる軸受隙間空間内には、前述したラジアル動圧軸受部ＲＢから連続するようにして、同一の潤滑流体が充填されており、その潤滑流体は、前記スラストプレート３３の外周側通路を介して軸方向に連続させられている。さらに、上記スラストプレート３３の動圧面と、軸受スリーブ２２及びカウンタープレート２５の動圧面との少なくとも一方側には、図示を省略したヘリングボーン形状等の形状を有する動圧発生溝が、半径方向に２ブロックに分けて環状に凹設されており、回転時に、当該スラスト動圧発生用溝のポンピング作用によって上記潤滑流体が加圧されて動圧を生じ、その潤滑流体の動圧によって、上述した回転軸３１及び回転ハブ３２が、スラスト方向に軸支持される構成になされている。
【００３４】
一方、上記回転軸３１とともにロータ組３０を構成している回転ハブ３２は、図示を省略した磁気ディスク等の記録媒体ディスクを搭載するように、アルミ系金属からなる略カップ状部材からなり、当該回転ハブ３２の中心部分設けられた接合穴３２ａが、上記回転軸３１の図示上端部分に対して、圧入又は焼嵌めによって一体的に接合されている。上記回転ハブ３２は、記録媒体ディスクを外周部に搭載する略円筒状の胴部３２ｂを有しており、当該胴部３２ｂから半径方向外方側に向かって張り出すように設けられたディスク搭載面３２ｃ上に、図示を省略した記録媒体ディスクが載置される構成になされている。
【００３５】
また、上記胴部３２ｂの内周壁面側には、バックヨーク３２ｄを介して環状駆動マグネット３２ｅが取り付けられている。この環状駆動マグネット３２ｅは、前述したステータコア２３の突極部の外周側端面に対して環状に対向するように近接配置されている。
【００３６】
ここで、上述した軸受保持部材としての軸受ホルダー２１ｂを構成している円筒状胴部の図示下端側には、前述した軸受スリーブ２２に組み付けられたカウンタープレート２５と軸方向に当接する軸受当接部２１ｅが設けられている。この軸受当接部２１ｅは、上記軸受ホルダー２１ｂの円筒状胴部の図示下端縁側から中心側に向かって延出する支持円盤部２１ｆの内周端部分を、軸受内方側（図示上方側）に向かって軸方向に突出させた凸状部分から形成されていて、その軸受当接部２１ｅの凸状先端面が、図示上方側に配置されたカウンタープレート２５の図示下面側に当接されていることによって、上記軸受スリーブ２２の全体が、軸方向の規定位置に位置決めされるようになっている。
【００３７】
このとき、上記軸受当接部２１ｅによって位置決めされる軸受スリーブ２２の軸方向規定位置は、上述した固定フレーム２１のステータ基準面２１ｃに対して、前記回転ハブ３２のディスク搭載面３２ｃを、軸方向において所定の公差寸法内に規定する位置に設定されている。
【００３８】
また、上記軸受当接部２１ｅより中心側の領域には、当該軸受当接部２１ｅによって画成された通気孔２１ｇが設けられている。この通気孔２１ｇは、上述した回転軸３１、回転ハブ３２、スラストプレート３３、及びカウンタープレート２５が軸受組として取り付けられた軸受スリーブ２２の外周壁面が、前述した軸受ホルダー２１ｂの内周壁面側に沿って装着される際に、上記軸受ホルダー２１ｂの内部側に空気が加圧されることから設けられたものであって、上述した加圧空気は、上記通気孔２１ｇを通して外部側に排出されるようになっている。
【００３９】
このような構成のハードディスク駆動装置（ＨＤＤ）を組み立てるにあたっては、まず、回転軸３１に対して回転ハブ３２を固定して必要な仕上加工を施し、上記回転軸３１を軸受スリーブ２２の内部側に挿入する。その後、上記回転軸３１の先端側にスラストプレート３３を嵌着し、そのスラストプレート３３を軸受スリーブ２２との間に挟み込むようにして、カウンタープレート２５を上記軸受スリーブ２２の開口部分に装着し、そのカウンタープレート２５と軸受スリーブ２２との間の半径方向隙間を、接着剤２６等により封止して、軸受組を形成しておく。
【００４０】
次いで、潤滑流体としてオイル等を用いる場合には、上記軸受組を構成している軸受スリーブ２２の軸受内部側を脱気し、そのときの真空吸引力を利用して軸受スリーブ２２の内部側に潤滑流体を注入する。そして、上記軸受スリーブ２２等からなる軸受組に付着した余分なオイルを除去した後、上述した回転ハブ３２の内周壁面側に、バックヨーク３２ｄを介してリング状のマグネット３２ｅを接着により固定して、ロータ組を得る。
【００４１】
一方、前述した固定フレーム２１側に対しては、絶縁紙を介して基板を貼り付けておき、駆動コイル２４を巻回したステータコア２３を、軸受ホルダー２１ｂの外周側壁面に嵌着した後に、配線・封止を行ってステータ組を得る。そして、このステータ組を構成している軸受ホルダー２１ｂの内周壁面側に対して、上述した軸受組の軸受スリーブ２２を挿入して接着・固定し、モータの組立を完了する。
【００４２】
このような実施形態にかかるハードディスク駆動装置（ＨＤＤ）においては、固定フレーム２１側の軸受ホルダー２１ｂに対して、軸受組を構成している軸受スリーブ２２を装着した際に、その軸受スリーブ２２とともに軸受組を構成しているカウンタープレート２５の図示下面が、固定フレーム２１側に設けられた軸受当接部２１ｅに対して軸方向に当接される。これによって、上記軸受スリーブ２２を含む軸受組が、軸方向の規定位置に位置決めされ、前述したステータ基準面２１ｃと回転ハブ３２のディスク搭載面３２ｃとが高精度な位置関係に配置されるようになっている。すなわち、本実施形態によれば、従来用いていたような治具を用いることなく、ロータ組とステータ組との位置決めが、安価な設備でしかも効率的に行われるが、特に、本実施形態のように、高精度な位置調整を要する記録媒体ディスクを搭載するモータ装置においては、上述した作用・効果は顕著である。
【００４３】
このようなロータ組とステータ組との組み付けに際しては、ステータ組側の各部品の組立、例えば軸受ホルダー２１ｂに対するステータコア２３などの各部品の取付工程が、ロータ組、より正確には軸受組を構成している軸受スリーブ２２に対する潤滑流体の注入工程とは別個・独立して行われる。従って、上記ステータ組側の各部品の組立作業は、潤滑オイルの注入工程による汚染等をほとんど考慮することなく効率的に行われる。
【００４４】
さらにまた、本実施形態においては、固定フレーム２１側の軸受ホルダー２１ｂに対して、軸受組を構成している軸受スリーブ２２を装着した際に、それらの間の空間において加圧される空気が、通気孔２１ｇを通して外部に排出されるようになされていることから、上記両部材の装着作業は、空気抵抗を受けることなく容易に行われるとともに、加圧空気による潤滑流体の外部漏れ及び接着剤の飛散が回避されるようになっている。
【００４５】
一方、上述した実施形態に対応する部材に対して同一の符号を付した図２に示された参考例では、軸受スリーブ２２の外周壁面の軸方向途中部部分に、軸受ホルダー２１ｂの図示上端側の先端縁に当接する軸受当接部２１ｈが設けられている。この軸受当接部２１ｈは、上記軸受スリーブ２２の図示上半部分を、半径方向外方に拡大するようにして形成された段部からなり、当該段部が、上記軸受ホルダー２１ｂの先端縁に対して軸方向に当接することによって、上記軸受スリーブ２２を含む軸受組が、軸方向の規定位置に位置決めされるようになっている。このような参考例によっても、上述した実施形態と同様な作用・効果を得ることができる。
【００４６】
さらに、上述した実施形態に対応する部材に対して同一の符号を付した図３に示された実施形態は、ステータコア２３が、装置本体を構成しているベースプレート４１に対して直接的に取り付けられるように構成された場合のものであり、本実施形態では、上記ベースプレート４１に設けられた軸受当接部４１ａが、軸受組を構成しているカウンタープレート２５に対して軸方向に当接される構成になされている。このような実施形態によっても、上述した各実施形態と同様な作用・効果を得ることができる。
【００４７】
以上、本発明者によってなされた発明の実施形態を具体的に説明したが、本発明は上記実施形態に限定されるものではなく、その要旨を逸脱しない範囲で種々変形可能であるというのはいうまでもない。
【００４８】
例えば、本発明は、上述したハードディスク駆動用（ＨＤＤ）モータ以外の、例えばポリゴンミラー回転用のモータに用いられる動圧軸受装置などのように、多種多様な動圧軸受モータに対しても同様に適用することができる。
【００４９】
【発明の効果】
以上述べたように本発明にかかる動圧軸受モータは、モータフレーム側の軸受保持部材に対して固定軸受部材を装着する際において、従来のような治具を用いることなく上記固定軸受部材を軸方向に位置決めする軸受当接部をモータフレーム側に設けることによって、ロータ組とステータ組との位置決めを安価な設備でしかも効率的に行い得るようにしたものであるから、動圧軸受モータの組立精度を良好に維持させながら生産性の向上を図ることができる。
【００５０】
また、本発明にかかる動圧軸受モータによれば、軸受保持部材に対するステータコア等の各部品の取付工程を、潤滑流体の注入工程とは別個・独立して行い得ることから、潤滑流体の注入工程による汚染等をほとんど考慮することなく各部品の組立作業を効率的に行うことができ、その点からも生産性の向上を図ることができる。
【００５１】
さらに、本発明にかかる動圧軸受モータは、モータフレーム側の軸受保持部材に対して固定軸受部材を装着した際に、それらの間の空間において加圧される空気を外部側に排出する通気孔を設けることによって、両部材どうしの装着作業を円滑に行う得るようにするとともに、加圧空気による潤滑流体の外部漏れを良好に回避させるようにしたものであるから、上述した効果が一層良好に得られる。
【００５２】
さらにまた、本発明にかかる動圧軸受モータは、高精度な位置調整を要する記録媒体ディスクを搭載する装置に対して適用したものであるから、上述した効果を特に顕著に得ることができる。
【図面の簡単な説明】
【図１】本発明の一実施形態にかかる動圧軸受装置を備えたＨＤＤ（ハードディスク駆動装置）用モータの構造例を表した縦断面説明図である。
【図２】本発明の参考例にかかる動圧軸受装置を備えたＨＤＤ（ハードディスク駆動装置）用モータの構造例を表した縦断面説明図である。
【図３】本発明のさらに他の実施形態にかかる動圧軸受装置を備えたＨＤＤ（ハードディスク駆動装置）用モータの構造例を表した縦断面説明図である。
【図４】従来の動圧軸受装置を備えたＨＤＤ（ハードディスク駆動装置）用モータの一例を表した縦断面説明図である。
【符号の説明】
２０  ステータ組
３０  ロータ組
２１  固定フレーム
２１ｂ  軸受ホルダー
２１ｃ  ステータ基準面
２１ｄ  コア当接部
２１ｅ  軸受当接部
２１ｇ  通気孔
２１ｈ  軸受当接部
２２  軸受スリーブ
２３  ステータコア
２５  カウンタープレート
３１  回転軸
３２  回転ハブ
３２ｃ  ディスク搭載面
３３  スラストプレート
ＲＢ  ラジアル動圧軸受部
ＳＢ  スラスト動圧軸受部
４１  ベースプレート
４１ａ  軸受当接部
【図１】
0003723428.tif 000002
【図２】
0003723428.tif 000003
【図３】
0003723428.tif 000004
【図４】
0003723428.tif 000005